(57)【要約】【課題】配管をタンクの注入口に確実に固定することのできる配管固定具を提供すること。【解決手段】タンクの壁面に設けられた液体の注入口に給液用の配管を固定する配管固定具であって、前記注入口の周縁部に着脱自在に固定されるための固定部を有する本体部と、この本体部に設けられ、配管の振れを規制するための規制部と、を備えるように配管固定具を構成する。そうすることで注入口に配管を固定するためのベルトを掛けたり配管を足で踏みつけたりするなどの作業を行わなくても配管の姿勢を保ち、タンク内へ液体の注入作業の効率化を図ることができる。【選択図】図１
2007100793.tif 000002
【特許請求の範囲】
【請求項１】
タンクの壁面に設けられた液体の注入口に給液用の配管を固定する配管固定具であって、
前記注入口の周縁部に着脱自在に固定されるための固定部を有する本体部と、
この本体部に設けられ、配管の振れを規制するための規制部と、
を備えたことを特徴とする配管固定具。
【請求項２】
規制部は配管の上面を押える押え部材を含むことを特徴とする請求項１記載の配管固定具。
【請求項３】
規制部は前記押え部材の高さを調整する高さ調整機構を有する請求項２記載の配管固定具。
【請求項４】
押え部材は高さ調整機構にボールジョイントを介して設けられていることを特徴とする請求項３記載の配管固定具。
【発明の詳細な説明】
【技術分野】
【０００１】
本発明は給液用の配管を、タンク例えばタンクローリの頂部に設けられた液体の注入口に固定する配管固定具に関する。
【背景技術】
【０００２】
例えば工場の構内に配置されたあるいはタンクローリに備えられた、液体薬品や廃液などを貯留するタンクの上部の壁面１０には例えば図６に示すようなフランジ部１１を有する注入口１２が設けられている。図中１４は前記壁面１０においてフランジ部１１の近くに設けられた傾倒自在のボルトであり、このボルト１４を介して例えば注入口１２上にフランジ部１１の形状に対応するように形成された注入口１２の蓋（不図示）が固定されるようになっている。
【０００３】
タンク内に例えば前記液体を注入して貯留する場合には、先ず注入口１２の蓋を外した後、給液用のホース１３を例えば図６に示すようにＬ字状に折り曲げてそのホース１３の先端の開口部を注入口１２内に差し込む。そして例えばボルト１４を起こし、このボルト１４とホース１３とにベルトを掛けてホース１３を例えばフランジ部１１に押しつけるように固定した後に、このホース１３からタンク内へ給液するようにしていた。
【０００４】
しかし一般にこのベルトを掛ける作業はかなり煩わしいものであり、このベルトの架け方についての巧拙は個人差が大きい。またユーザごとに使用するホースは異なり、それらのホースは夫々異なった径を有していることも加わって、既述のベルトにより押しつけられたホースは安定した状態で固定されているとは言いがたく例えばタンクへの給液中にホース１３内を流通する液体の圧力によってホース１３が揺れてベルトが外れるおそれがあった。このようにベルトが外れるとホース１３の先端部が注入口１２の外へ飛び出してホース１３から供給される液体が注入口の周囲に飛び散るおそれがあり、このような液体の飛散によって例えばタンクが設置されている工場の構内が汚染されると面倒な清掃作業が必要になる。また上述のようにベルトを用いずにタンクへの給液中に作業者が例えば自分の足でホース１３をフランジ部１１上に踏みつけて押えることも行われているが、足場の悪い高所で長時間ホース１３を踏みつける作業は作業者の負担になるし、またホース１３の固定が不安定であるという同様の問題がある。
なお特許文献１には配管固定具について示されているがこの配管固定具は床下に設置される配管を固定するためのものであり、既述のような問題を解決するものではない。
【０００５】
【特許文献１】特開２００５−１１３５８３（段落００１６、００２２）
【発明の開示】
【発明が解決しようとする課題】
【０００６】
本発明はこのような事情の下になされたものであり、その目的は配管をタンクの注入口に確実に固定することのできる配管固定具を提供することである。
【課題を解決するための手段】
【０００７】
本発明の配管固定具はタンクの壁面に設けられた液体の注入口に給液用の配管を固定する配管固定具であって、前記注入口の周縁部に着脱自在に固定されるための固定部を有する本体部と、この本体部に設けられ、配管の振れを規制するための規制部と、を備えたことを特徴とする。
【０００８】
この配管固定具の一例としては規制部は、配管の上面を押える押え部材を含む。また前記規制部は前記押え部材の高さを調整する高さ調整機構を有していてもよい。さらに押え部材は高さ調整機構にボールジョイントを介して設けられていてもよい。
【発明の効果】
【０００９】
本発明の配管固定具は、前記注入口の周縁部に着脱自在に固定される固定部を有する本体部と、前記本体部に設けられ配管の振れを規制するための規制部と、を備える。このため注入口に配管を固定するためのベルトを掛ける作業や作業者が給液中に足で配管を注入口の周縁部に押しつける行為などが不要になる。従って配管を固定するための労力を低下させることができ、タンク内へ液体の注入作業の効率化を図ることができる。
【発明を実施するための最良の形態】
【００１０】
本発明に係る配管固定具の実施形態について、図１を用いて説明する。図１は本発明に係る配管固定具２を示した斜視図である。図中２１はこの配管固定具２の本体部であり、この本体部２１は例えば金属板が、その長手方向の中央部が頂部となるようにＵ字状に折り曲げられている。このＵ字状の本体部２１は左右に対向する垂直部２１ａ,２１ａがタンクの注入口の中に収まるように、また取り扱う配管の内最大径の配管の外形よりも少し大きい距離だけ離間するように成形されている。またこの本体部２１の垂直部２１ａ,２１ａには注入口の周縁部に着脱自在に固定されるための固定部をなす水平板２３が左右に伸長して設けられている。従って前記本体部２１の垂直部２１ａ,２１ａの下部側は後述するようにこの配管固定具２をタンクの注入口に設置したときに当該注入口内に進入することとなる。
【００１１】
続いて配管の振れを規制するための規制部の構成について説明する。本体部２１の上部から前方側へ（図１における奥側へ）向かって例えば支持板３１が水平に伸長している。この支持板３１の周辺の構造について図２をも用いて説明すると、支持板３１の前後方向の中央部の上面には、内周面にねじが切ってあるねじ受け部３３が突設されていて、この中が支持板３１を貫通する貫通孔３３ａに連通している。そして高さ調節部の一部をなすねじ棒３２がねじ受け部３３内に挿入されてねじ受け部３３内のねじと螺合している。このねじ棒３２の上端にはハンドル３４が接続される一方で、このねじ棒３２の下端にはボールジョイント３５が接続されている。
図中３６は第１の押え板であり、図中３７は前記第１の押え板３６の下面に設けられたゴム板である。この第１の押え板３６は配管の外周面に沿うように湾曲しており、前記ハンドル３４を回転させることによってねじ棒３２を介して昇降するようになっている。図中３８は第１の押え板３６の上部に設けられた前記ボールジョイント３５の受け部であり、またこれらの第１の押え板３６、ゴム板３７及び受け部３８は配管の上面を押える押え部材を構成している。受け部３８はボールジョイント３５の表面を摺動できるようになっており、この受け部３８を介して第１の押え板３６はその向きを配管の伸長方向に沿うように変更できるように構成されている。このような構成とすることで後述するように配管を押える際に配管の傾きに合せて前記ゴム板３７が配管の外周面上部に沿った状態でつまりフィットした状態で押さえつけることができるようになっている。
【００１２】
図中４１は第２の押え板であり、例えば本体部２１の上部から後方側へ（図１における表側へ）例えば水平方向に伸長しており、前記第１の押え板３５が昇降できる位置よりも高い位置に設けられている。図中４２は第２の押え板４１の下面に設けられたゴム板である。これらの第２の押え板４１及びゴム板４２もまた配管の上面を押える押え部材を構成している。また第２の押え板４１は配管の外周面に沿うように湾曲しており、従ってゴム板４２は第２の押え板４１の形状に沿って湾曲されている。後述するようにこの第２の押え板４１は例えば前記第１の押え板３５により注入口の周縁部に押しつけることができないような大きい径を有する配管を固定する場合に用いられ、第１の押え板３５または第２の押え板４１を用いることで当該配管固定具２は例えば３０ｍｍ〜９２ｍｍの径を有する配管を注入口に固定できるようになっている。
【００１３】
続いて配管固定具２により例えば配管であるホース５１をタンクの壁面に設けられたフランジ部５２を有する注入口５３に固定する方法について図３を参照しながら説明する。先ず例えば注入口５３の蓋（不図示）を外し、配管固定具２の本体部２１の先端部を注入口５３内に差し込み、両側の固定部２３，２３を注入口５３の周囲に設けられたフランジ部５２上に載置する。なお図３では図示の便宜上、他方の固定部２３の止め具５４については図示していない。そして例えば万力状の止め具５４を用いて固定部２３，２３をフランジ部５２上に固定する。続いてホース５１をその端部が例えば第１の押え板３６の下方を通り注入口５３内へと向かい、本体部２１の垂直部２１ａ,２１ａとの間に位置するように設置する。
【００１４】
既述のようにホース５１を設置した後、ハンドル３４を回転させて第１の押え板３６を下降させ、この押え板３６に設けられたゴム板３７の弾性によりホース５１を例えばフランジ部５２上に押しつけて固定した後、このホース５１から注入口５３に液体を注入する。
【００１５】
また例えばホース５１の径が大きく、既述のように配管固定具２を注入口５３に設置したときに第１の押え板３６とフランジ部５２との間を通すことができない場合は図４に示すようにホース５１をその端部が第２の押え板４１の下方を通って注入口５３に向かい、例えば本体部２１の垂直部２１ａ,２１ａとの間に位置するように設置し、ゴム板４２の弾性により当該ホース５１をフランジ部５２上に押し付けて固定するようにしてもよい。
【００１６】
なおこの配管固定具２により固定される配管としては折り曲げることができるホースに限らず、例えば折り曲げることができない塩化ビニルにより構成されたパイプ（この場合、先端がＬ字状に曲げられている）であってもよい。
また固定部２３をフランジ部５２上に固定する方法としては固定部２３がフランジ部５２に着脱自在であれば既述の止め具５４を用いるような固定方法を用いることに限られず、例えば固定部２１に孔を穿孔し、またフランジ部５２上にその孔と対応するようにねじ穴を穿孔して、そのねじ穴と対応したボルトにより固定部２３をフランジ部５２上に固定してもよい。
なお図で示した注入口５３の形状は一例であり、例えばこの配管固定具２が固定される注入口の周縁部は既述のようなフランジ状に形成されていなくてもよい。
【００１７】
このような配管固定具２は給液用のホース５１などの配管を注入口５３にて下方に屈曲された屈曲部の根元部分の頭を下に押し付けるものであるから、配管内に液が勢いよく流れてその液流の力により屈曲部が暴れようとしても、屈曲部の姿勢が安定しており、タンクの外へ液が漏れるおそれがない。このため作業者が足場の悪い高所で給液中に足で配管を踏みつける行為などが不要になるため、作業者の負担を軽減させることができ、タンク内へ液体の注入作業の効率化を図ることができる。
【００１８】
また配管固定具２は固定される配管の径にあわせて第１の押え板３５の高さを調節できるため種々の径の配管を注入口５３の周縁部に押し付けて固定することができ、汎用性が大きい。
さらに配管固定具２は第１の押え板３５が移動できる高さよりも高い位置に設けられた第２の押え板４１により、前記第１の押え板３５により押えることができない大きさを有する径を備えた配管を固定できるため、より適用範囲が広い。
【００１９】
また注入口に挿入された配管の両側には本体部２１の垂直部２１ａ,２１ａが位置しているため仮に押え板３５,４１による押し付けに不具合が生じても配管の左右の振れが垂直部２１ａ,２１ａにより規制されるので、注入口から配管の先端部が外れて配管から供給される液体が注入口の周囲に飛散することを防ぐことができる。
【００２０】
なお本発明の配管固定具の配管の振れを規制する規制部としては配管の上面を注入口の周縁部に押しつけて固定する構成とすることに限られない。図５（ａ）に示した配管固定具７は既述の配管固定具２の規制部とは異なる構成を持った規制部を有しており、先ずこの配管固定具７の各部の構成について説明すると図中７１は本体部であり、７２は固定部である。これらは既述の配管固定具２における本体部２１及び固定部２２と夫々同様の役割を果たす。７３は本体部の側壁から例えば水平方向に夫々伸長した一対の支持部であり、各支持部７３の内方には夫々対向するように押え板７４が設けられている。図中７５は押え板７４に接続されたネジ部、図中７６はハンドルであり、ハンドル７３を回転させることによりネジ部７５を介して押え板７４が内方側へ移動するようになっている。これらの支持部７３、押え板７４、ネジ部７５及びハンドル７６によりこの配管固定具７の規制部が構成されている。
この配管固定具７を用いて注入口にホース７７を固定する場合は例えば既述の配管固定具２と同様に当該配管固定具７を例えば既述の注入口５３に設置した後、ホース７７の端部を支持部７３と支持部７３との間を通して本体部７１に向かうように設置し、その後図５（ｂ）で示すように各ハンドル７６を回転させて押え板７４によりホース７７を左右から挟むことによって当該ホース７７を固定する。
【図面の簡単な説明】
【００２１】
【図１】本発明の実施の形態に係る配管固定具の斜視図である。
【図２】前記配管固定具の支持板周辺の構造を示した縦断側面図である。
【図３】前記配管固定具を用いてホースを固定した様子を示した説明図である。
【図４】前記配管固定具を用いてホースを固定した様子を示した説明図である。
【図５】本発明の他の実施の形態に係る配管固定具の説明図である。
【図６】従来のタンクの注入口にホースを固定する様子を示した説明図である。
【符号の説明】
【００２２】
２，７  配管固定具
２１  本体部
２３  水平板
３１  支持板
３６  第１の押え板
４１  第２の押え板
【図１】
2007100793.tif 000003
【図２】
2007100793.tif 000004
【図３】
2007100793.tif 000005
【図４】
2007100793.tif 000006
【図５】
2007100793.tif 000007
【図６】
2007100793.tif 000008